(57)【要約】【課題】従来のドアホールシールと比較して遮音性能を向上させる。【解決手段】ゴムシート（２）に、ワイヤーハーネスを通すスリット部（３）が形成されており、ゴムシート（２）におけるスリット部（３）の近傍に第１の穴（５）が形成されており、ゴムシート（２）における第１の穴（５）の位置を変位させることで、スリット部（３）の開口が第１の穴（５）の位置を変位させる前の状態よりも狭小化するような張力をゴムシート（２）に働かせた状態で、ゴムシート（２）が透明フィルム（６）に溶着されている。【選択図】図１
2018039422.tif 000002
【特許請求の範囲】
【請求項１】
ゴムシートと透明フィルムとが溶着によって一体化されたドアホールシールであって、
上記ゴムシートに、ワイヤーハーネスを通すスリット部が形成されており、
上記ゴムシートにおける上記スリット部の近傍に第１の穴が形成されており、
上記ゴムシートにおける上記第１の穴の位置を変位させることで、上記スリット部の開口が上記第１の穴の位置を変位させる前の状態よりも狭小化するような張力を上記ゴムシートに働かせた状態で、上記ゴムシートが上記透明フィルムに溶着されていることを特徴とするドアホールシール。
【請求項２】
ゴムシートと透明フィルムとが溶着によって一体化されたドアホールシールであって、
上記ゴムシートに、ワイヤーハーネスを通すスリット部が形成されており、
上記スリット部の一端には、当該一端付近における上記ゴムシートの破れを防止するための破れ防止穴が形成されており、
上記ゴムシートにおける上記破れ防止穴の位置を変位させることで、上記スリット部の開口が上記破れ防止穴の位置を変位させる前の状態よりも狭小化するような張力を上記ゴムシートに働かせた状態で、上記ゴムシートが上記透明フィルムに溶着されていることを特徴とするドアホールシール。
【請求項３】
上記スリット部の開口の形状が、略Ｌ字形状であることを特徴とする請求項１に記載のドアホールシール。
【請求項４】
上記スリット部の一端には、当該一端付近における上記ゴムシートの破れを防止するための破れ防止穴が形成されており、
上記破れ防止穴の近傍に第２の穴が形成されており、
上記第１の穴が、上記第２の穴に重ね合されていることを特徴とする請求項１に記載のドアホールシール。
【請求項５】
上記破れ防止穴の近傍に第２の穴が形成されており、
上記破れ防止穴が、上記第２の穴に重ね合されていることを特徴とする請求項２に記載のドアホールシール。
【発明の詳細な説明】
【技術分野】
【０００１】
本発明は、ゴムシートと透明フィルムとが溶着によって一体化されたドアホールシールに関する。
【背景技術】
【０００２】
ワイヤーハーネスを車外側から車内側に抜き出すためのスリット部が形成されたドアホールシールが従来技術として知られている。例えば、特許文献１には、ワイヤーハーネスが挿通されるスリットが形成されると共に、このスリットを覆うサブシートが溶着部により溶着されているサービスホールカバー（ドアホールシール）が開示されている。
【０００３】
また、特許文献２には、ワイヤーハーネスを車外側から車内側に抜き出すためのスリット機構が設けられ、スリット機構は、メインシールの車外側にサブシールを、少なくともその上端部を水密に重ねて取付け、しかも、メインシールに水平方向に第一スリットを形成すると共に、サブシールに水平方向に第二スリットを形成し、その第二スリットを、メインシールに形成した第一スリットより下位にしたドアホールシールが開示されている。
【先行技術文献】
【特許文献】
【０００４】
【特許文献１】特開２００９−  ５１４５９号公報（２００９年  ３月１２日公開）
【特許文献２】特開２００６−２８２１２７号公報（２００６年１０月１９日公開）
【発明の概要】
【発明が解決しようとする課題】
【０００５】
しかしながら、上述のような従来技術には、スリットまたはスリット機構にワイヤーハーネスを通すと、ワイヤーハーネスの径以上の隙間が発生（ワイヤーハーネスの周辺にも隙間が発生）し、ドアホールシールによる遮音性能が悪化してしまうという問題点がある。例えば、図２の（ｃ）に示すようなゴムシート１０２のスリット部３にワイヤーハーネス８を通した場合、スリット部３に隙間が発生し、その隙間の影響でドアパネル内と室内の隙間が拡大され、遮音性能への影響が発生し、その結果、車内騒音が増加してしまう可能性がある。
【０００６】
本発明は、上記の問題点に鑑みてなされたものであり、その目的は、従来のドアホールシールと比較して遮音性能を向上させることができるドアホールシールなどを実現することにある。
【課題を解決するための手段】
【０００７】
上記の課題を解決するために、本発明の一態様に係るドアホールシールは、ゴムシートと透明フィルムとが溶着によって一体化されたドアホールシールであって、上記ゴムシートに、ワイヤーハーネスを通すスリット部が形成されており、上記ゴムシートにおける上記スリット部の近傍に第１の穴が形成されており、上記ゴムシートにおける上記第１の穴の位置を変位させることで、上記スリット部の開口が上記第１の穴の位置を変位させる前の状態よりも狭小化するような張力を上記ゴムシートに働かせた状態で、上記ゴムシートが上記透明フィルムに溶着されている構成である。
【０００８】
上記構成によれば、ゴムシートにおける第１の穴の位置を変位させることでスリット部の開口が第１の穴の位置を変位させる前の状態よりも狭小化するような張力がゴムシートに働く。このため、スリット部にワイヤーハーネスを通しても、上記張力によりスリット部の開口（隙間）が狭小化される。このため、従来のドアホールシールと比較して遮音性能を向上させることができる。
【０００９】
上記の課題を解決するために、本発明の一態様に係るドアホールシールは、ゴムシートと透明フィルムとが溶着によって一体化されたドアホールシールであって、上記ゴムシートに、ワイヤーハーネスを通すスリット部が形成されており、上記スリット部の一端には、当該一端付近における上記ゴムシートの破れを防止するための破れ防止穴が形成されており、上記ゴムシートにおける上記破れ防止穴の位置を変位させることで、上記スリット部の開口が上記破れ防止穴の位置を変位させる前の状態よりも狭小化するような張力を上記ゴムシートに働かせた状態で、上記ゴムシートが上記透明フィルムに溶着されている構成である。
【００１０】
上記構成によれば、ゴムシートにおける破れ防止穴の位置を変位させることでスリット部の開口が破れ防止穴の位置を変位させる前の状態よりも狭小化するような張力がゴムシートに働く。このため、スリット部にワイヤーハーネスを通しても、上記張力によりスリット部の開口（隙間）が狭小化される。このため、従来のドアホールシールと比較して遮音性能を向上させることができる。
【００１１】
また、本発明の一態様に係るドアホールシールは、上記スリット部の開口の形状が、略Ｌ字形状であっても良い。上記構成によれば、スリット部の開口（隙間）が狭小化される面積の割合をより大きくすることができる。
【００１２】
また、本発明の一態様に係るドアホールシールは、上記スリット部の一端には、当該一端付近における上記ゴムシートの破れを防止するための破れ防止穴が形成されており、上記破れ防止穴の近傍に第２の穴が形成されており、上記第１の穴が、上記第２の穴に重ね合されていても良い。上記構成によれば、第１の穴を第２の穴に重ね合わせることで、スリット部の開口が狭小化するような張力がゴムシートに働く。このため、スリット部にワイヤーハーネスを通しても、上記張力によりスリット部の開口（隙間）が狭小化される。このため、従来のドアホールシールと比較して遮音性能を向上させることができる。
【００１３】
また、本発明の一態様に係るドアホールシールは、上記破れ防止穴の近傍に第２の穴が形成されており、上記破れ防止穴が、上記第２の穴に重ね合されていても良い。上記構成によれば、破れ防止穴を第２の穴に重ね合わせることで、スリット部の開口が狭小化するような張力がゴムシートに働く。このため、スリット部にワイヤーハーネスを通しても、上記張力によりスリット部の開口（隙間）が狭小化される。このため、従来のドアホールシールと比較して遮音性能を向上させることができる。
【発明の効果】
【００１４】
本発明の一態様に係るドアホールシールは、従来のドアホールシールと比較して遮音性能を向上させることができるという効果を奏する。
【図面の簡単な説明】
【００１５】
【図１】（ａ）は、本発明の一実施形態に係る自動車の概要構成を示す図であり、（ｂ）は、本発明の一実施形態に係るドアホールシールを構成する第２シートの外観を示す図であり、（ｃ）は、上記ドアホールシールを構成する第１シートの外観を示す図であり、（ｄ）は、張力を働かせる前のゴムシートの状態を示す図であり、（ｅ）は、張力を働かせた後のゴムシートの状態を示す図である。
【図２】（ａ）は、本発明の変形例１のドアホールシールに関し、張力を働かせる前のゴムシートの状態を示す図であり、（ｂ）は、張力を働かせた後のゴムシートの状態を示す図であり、（ｃ）は、従来のゴムシートにワイヤーハーネスを通したときの状態を示す図であり、（ｄ）は、変形例１のドアホールシールのゴムシートにワイヤーハーネスを通したときの状態を示す図であり、（ｅ）は、張力を働かせた後の変形例１のドアホールシールの状態を示す断面図である。
【図３】（ａ）は、本発明の変形例２のドアホールシールに関し、上記ドアホールシールを構成する第１シートの外観を示す図であり、（ｂ）は、張力を働かせる前のゴムシートの状態を示す図であり、（ｃ）は、張力を働かせた後のゴムシートの状態を示す図であり、（ｄ）は、張力を働かせた後の変形例２のドアホールシールの状態を示す断面図であり、（ｅ）は、張力を働かせた後の変形例２のドアホールシールのゴムシートにおけるスリット部にワイヤーハーネスを通したときの状態を示す図である。
【図４】従来のドアホールシール（既存）の遮音性能と、本発明の一実施形態に係るドアホールシール（改良）の遮音性能とを比較したグラフである。
【発明を実施するための形態】
【００１６】
＜自動車の構成＞
まず、図１の（ａ）に基づき、本発明の一実施形態に係る自動車１０の概要構成について説明する。図１の（ａ）は、自動車１０の概要構成を示す図である。同図に示すように、自動車１０のドア部のウエストラインの下側には、本発明の一実施形態に係るドアホールシールが設置されている。また、同図では、フロント側とリア側の両方のドア部のそれぞれにドアホールシールが設置されている様子が示されているが、本実施形態では、フロント側のドア部に設置されたドアホールシール１について説明する。
【００１７】
＜ドアホールシールの構成＞
次に、図１の（ｂ）〜（ｅ）に基づき、本発明の一実施形態に係るドアホールシール１の構成について説明する。図１の（ｂ）は、ドアホールシール１を構成する第２シート１ｂの外観を示す図である。第２シート１ｂは、自動車１０の室内側に配置されるシートであり、ＥＰＤＭ（エチレン−プロピレン−ジエン系三元共重合体ゴム）系の材料で構成されたシートであり、その比重は０．０４〜０．１程度である。
【００１８】
次に、図１の（ｃ）は、ドアホールシール１を構成する第１シート１ａの外観を示す図である。第１シート１ａ（ドアホールシール）は、自動車１０の室外側に配置されるシートであり、ゴムシート２と透明フィルム６とが溶着にて一体化されたシートである。ゴムシート２は、発泡ゴム製のシートであり、透明フィルム６は、ポリエチレン製のシートである。なお、透明フィルム６は、ポリエチレン製に限定されず、その他の透明性を有するシート材料を採用することができる。
【００１９】
次に、図１の（ｄ）は、張力を働かせる前のゴムシート２の状態を示す図である。同図に示すように、ゴムシート２には、開口部の形状が略直線形状であるスリット部３が形成されており、スリット部３の下側の端部（一端）には、当該端部付近におけるゴムシート２の破れを防止するための破れ防止穴３ａが形成されている。スリット部３は、ワイヤーハーネス８を車外側から車内側に抜き出す（通す）ための開口部である。
【００２０】
また、破れ防止穴３ａの近傍には、第２の穴４が形成されており、スリット部３の中央付近の近傍には、第１の穴５が形成されている。なお、スリット部３の近傍であれば、第１の穴５の位置は特に限定されない。
【００２１】
次に、図１の（ｅ）は、張力を働かせた後のゴムシート２の状態を示す図である。図１の（ｄ）に示す状態で、ゴムシート２における第１の穴５の位置を矢印の方向に変位させ、第１の穴５を第２の穴４に重ね合せることでスリット部３の開口が第１の穴５の位置を変位させる前の状態よりも狭小化するような張力をゴムシート２に働かせ、この張力が働いている状態でゴムシート２を透明フィルム６に溶着させると、図１の（ｅ）に示す状態になる。
【００２２】
上記のように、ゴムシート２における第１の穴５の位置を変位させて、第１の穴５を第２の穴４に重ね合せることでスリット部３の開口が第１の穴５の位置を変位させる前の状態よりも狭小化するような張力がゴムシート２に働く。このため、スリット部３にワイヤーハーネスを通しても、上記張力によりスリット部３の開口（隙間）が狭小化される。このため、従来のドアホールシールと比較して遮音性能を向上させることができる。
【００２３】
＜ドアホールシールの変形例１＞
次に、図２の（ａ）〜（ｅ）に基づき、本発明の一実施形態に係るドアホールシールの変形例１について説明する。図２の（ａ）は、本発明の変形例１のドアホールシールに関し、張力を働かせる前のゴムシート２の状態を示す図である。
【００２４】
ゴムシート２には、開口部が略直線形状であるスリット部３が形成されており、スリット部３の下側の端部には、当該端部付近におけるゴムシート２の破れを防止するための破れ防止穴３ａが形成されている。また、破れ防止穴３ａの近傍には、第２の穴４が形成されている。
【００２５】
次に、図２の（ｂ）は、張力を働かせた後のゴムシート２の状態を示す図である。図２の（ａ）に示す状態で、ゴムシート２における破れ防止穴３ａの位置を矢印の方向に変位させ、破れ防止穴３ａを第２の穴４に重ね合せることでスリット部３の開口が破れ防止穴３ａの位置を変位させる前の状態よりも狭小化するような張力をゴムシート２に働かせ、この張力が働いている状態でゴムシート２を透明フィルム６に溶着させると、図２の（ｂ）に示す状態になる。
【００２６】
上記のように、ゴムシート２における破れ防止穴３ａの位置を矢印の方向に変位させ、破れ防止穴３ａを第２の穴４に重ね合せることでスリット部３の開口が破れ防止穴３ａの位置を変位させる前の状態よりも狭小化するような張力がゴムシートに働く。このため、図２の（ｄ）に示すように、スリット部３にワイヤーハーネス８を通しても、上記張力によりスリット部３の開口（隙間）が狭小化される。このため、図２の（ｃ）に示す従来のドアホールシール（ゴムシート１０２）と比較して遮音性能を向上させることができる。
【００２７】
図２の（ｄ）は、変形例１のドアホールシールのゴムシート２にワイヤーハーネス８を通したときの状態を示す図である。同図に示すように、上記張力が働いている状態では、スリット部３の開口のワイヤーハーネス８の周囲の隙間が狭小化されている様子が示されている。
【００２８】
次に、図２の（ｅ）は、張力を働かせた後の変形例１のドアホールシールの状態を示す断面図である。同図に示すように、ゴムシート２、透明フィルム６、および溶着下型７のそれぞれは、この順で層状に配置されており、第２の穴４からは、溶着下型７の突起部７ａの先端が突出している。破れ防止穴３ａを、溶着下型７の突起部７ａに対して上側から嵌め込み、破れ防止穴３ａを第２の穴４に重ね合せることで、ゴムシート２にスリットテンション（張力）が生じ、この状態でゴムシート２と透明フィルム６とが溶着される。
【００２９】
＜ドアホールシールの変形例２＞
次に、図３の（ａ）〜（ｅ）に基づき、本発明の一実施形態に係るドアホールシールの変形例２について説明する。図３の（ａ）は、本発明の変形例２のドアホールシールに関し、ドアホールシールを構成する第１シート１ａ（ドアホールシール）の外観を示す図である。第１シート１ａは、ゴムシート２と透明フィルム６とが溶着にて一体化されたシートである。同図に示すように、ゴムシート２には、スリット部３が形成されており、本変形例では、スリット部３の開口の形状が、略Ｌ字形状となっている。スリット部３の開口の形状を上記の形状にすることにより、後述するゴムシート２に張力が働いている状態において、スリット部３の開口（隙間）が狭小化される面積の割合をより大きくすることができる。なお、スリット部３の開口の形状は、略Ｌ字形状に限定されず、円弧形状等であっても良い。
【００３０】
また、スリット部３の下側の端部（一端）には、当該端部付近におけるゴムシート２の破れを防止するための破れ防止穴３ａが形成されており、スリット部３の折曲部（中央部）の近傍には、第１の穴５が形成されている。
【００３１】
図３の（ｂ）は、張力を働かせる前のゴムシート２の状態を示す図であり、図３の（ｃ）は、張力を働かせた後のゴムシート２の状態を示す図である。
【００３２】
図３の（ｂ）に示す状態で、ゴムシート２における第１の穴５の位置を矢印の方向に変位させ、第１の穴５を溶着下型７の突起部７ａに対して嵌め込む（第１の穴５を溶着下型７の突起部７ａに固定する）ことでスリット部３の開口が第１の穴５の位置を変位させる前の状態よりも狭小化するような張力をゴムシート２に働かせ、この張力が働いている状態でゴムシート２を透明フィルム６に溶着させると、図３の（ｃ）に示す状態になる。なお、本変形例では、スリット部３の周囲における第１の穴５が形成されている側の辺が、その対辺に重なっている。
【００３３】
上記のように、ゴムシート２における第１の穴５の位置を矢印の方向に変位させ、第１の穴５を突起部７ａに対して嵌め込むことでスリット部３の開口が、第１の穴５の位置を変位させる前の状態よりも狭小化するような張力がゴムシートに働く。このため、図３の（ｅ）に示すように、スリット部３にワイヤーハーネス８を通しても、上記張力によりスリット部３の開口（隙間）が狭小化される。このため、従来のドアホールシールと比較して遮音性能を向上させることができる。
【００３４】
次に、図３の（ｅ）は、張力を働かせた後の変形例２のドアホールシールの状態を示す断面図である。同図に示すように、ゴムシート２、透明フィルム６、および溶着下型７のそれぞれは、この順で層状に配置されており、第１の穴５からは、溶着下型７の突起部７ａの先端が突出している。第１の穴５を、溶着下型７の突起部７ａに対して上側から嵌め込むことで、ゴムシート２に張力が生じ、この状態でゴムシート２と透明フィルム６とが溶着される。
【００３５】
＜遮音性能の比較データ＞
次に、図４は、従来のドアホールシール（既存；スリットＡ）の遮音性能と、本発明の一実施形態に係るドアホールシール（改良；スリットＢ）の遮音性能と、を残無響室法にて測定した結果を示すグラフである。実線のグラフは、従来のドアホールシール（既存；スリットＡ）の遮音性能を示すグラフであり、破線のグラフは、本発明の一実施形態に係るドアホールシール（改良；スリットＢ）の遮音性能を示すグラフである。同図の横軸は、音の周波数（Ｈｚ）を示しており、縦軸は、透過損失Ｔ．Ｌ．＜Transmission Loss＞（ｄＢ）を示している。
【００３６】
また、同図の１５００Ｈｚ〜３０００Ｈｚの間におけるグラフの状態を見ると、スリットＡ（既存）は、スリットＢ（改良）と比較して最大で０．３ｄＢ程度の遮音性能の向上が見られる。以上の結果より、本発明の一実施形態に係るドアホールシールによれば、従来のドアホールシールと比較して遮音性能を向上させることができることが分かる。
【００３７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００３８】
１  ドアホールシール    １ａ  第１シート    １ｂ  第２シート    ２  ゴムシート
３  スリット部    ３ａ  破れ防止穴    ４  第２の穴    ５  第１の穴
６  透明フィルム    ７  溶着下型    ７ａ  突起部    ８  ワイヤーハーネス
１０  自動車
【図１】
2018039422.tif 000003
【図２】
2018039422.tif 000004
【図３】
2018039422.tif 000005
【図４】
2018039422.tif 000006